(57)【要約】      （修正有）【課題】情報記録再生装置の使用方法を供用者が知りたいときにただちに、使用方法に関する情報を提供することを可能にする。【解決手段】  ハードディスク（３ａ）に、外部から入力される記録情報を常時記録する領域と共に、当該情報記録再生装置自体に関連する関連情報が記録されている領域を備え、再生すべき前記関連情報を指定するために用いられる指定手段である入力部（７）またはリモコン部（５）と、前記指定された関連情報を再生する手段を備える。【選択図】  図１
2005129206.tif 000002
【特許請求の範囲】
【請求項１】
外部から入力される記録情報を常時記録する記録媒体中の第１の記録領域と、前記第１の記録領域に前記記録情報が記録されている間に、前記記録情報又は前記第１の記録領域に記録された記録済み情報の少なくともいずれか一方の情報を再生する第１再生手段と、を備える情報記録再生装置において、
当該情報記録再生装置自体に関連する関連情報が記録されている前記記録媒体中の第２記録領域と、
前記第２の記録領域に前記関連情報を記録する記録手段と、
再生すべき前記関連情報を指定するために用いられる指定手段と、
前記指定された関連情報を前記第２の記録領域から再生する第２再生手段と、
を備えることを特徴とする情報記録再生装置。
【請求項２】
請求項１に記載の情報記録再生装置において、
前記関連情報は画像情報からなることを特徴とする情報記録再生装置。
【請求項３】
請求項２に記載の情報記録再生装置において、
前記関連情報は、前記情報再生装置の性能検査用の情報を含み、且つ前記第１の記録領域を初期化するための初期化情報と共に前記第２の記録領域に記録されることを特徴とする情報記録再生装置。
【請求項４】
請求項２又は３に記載の情報記録再生装置において、
前記関連情報には、前記情報再生装置自体の宣伝用の情報が含まれていることを特徴とする情報記録再生装置。
【請求項５】
請求項１乃至４のいずれか１項に記載の情報記録再生装置において、
前記関連情報には、前記情報再生装置自体の操作方法に関する情報が含まれていることを特徴とする情報記録再生装置。
【請求項６】
請求項１乃至５のいずれか1項に記載の情報記録再生装置において、
前記関連情報には、前記情報記録再生装置自体の修理用の情報が含まれていることを特徴とする情報記録再生装置。
【請求項７】
請求項１乃至６のいずれか１項に記載の情報記録再生装置において、
前記関連情報には、前記情報記録再生装置の使用者が利用することが可能なサービスに関する情報が含まれていることを特徴とする情報記録再生装置。
【請求項８】
請求項１乃至７のいずれか1項に記載の情報記録再生装置において、
前記関連情報は、少なくとも二以上の言語による構成されている情報が含まれていることを特徴とする情報記録再生装置。
【請求項９】
情報を記録するための記録媒体と、前記記録媒体に記録された情報を再生する第１再生手段と、を備える情報記録再生装置において、
前記記録媒体には、外部から入力される情報と、当該情報記録再生装置に関連する関連情報とが記録され、
かつ、再生すべき前記関連情報を指定するための指定手段と、
指定された前記関連情報を再生する第２再生手段と、
をさらに備えることを特徴とする情報記録再生装置。
【請求項１０】
前記記録媒体に前記関連情報を記録する記録手段と、をさらに備えることを特徴とする請求項９に記載の情報記録再生装置。
【請求項１１】
前記記録媒体は、外部から入力される情報を記録するための第１の記録領域と、前記関連情報を記録する第２の記録領域を備えることを特徴とする請求項９又は１０に記載の情報記録再生装置。
【請求項１２】
外部から入力される記録情報を常時記録する記録媒体中の第１の記録領域と、前記第１の記録領域に前記記録情報が記録されている間に、前記記録情報又は前記第１の記録領域に記録された記録済み情報の少なくともいずれか一方の情報を再生する第１再生手段と、を備える情報記録再生装置において実行される情報記録再生方法において、
当該情報記録再生装置自体に関連する関連情報が記録される前記記録媒体中の第２の記録領域に前記関連情報を記録する記録工程と、
再生すべき前記関連情報を指定する指定工程と、
前記指定された関連情報を前記第２の記録領域から再生する第２再生工程と、
を備えることを特徴とする情報記録再生方法。
【請求項１３】
外部から入力される記録情報を常時記録する記録媒体中の第１の記録領域と、前記第１の記録領域に前記記録情報が記録されている間に、前記記録情報又は前記第１の記録領域に記録された記録済み情報の少なくともいずれか一方の情報を再生する第１再生手段と、を備える情報記録再生装置に含まれるコンピュータを、
当該情報記録再生装置自体に関連する関連情報を前記記録媒体中の第２の記録領域に記録する記録手段、
再生すべき前記関連情報を指定するために用いられる指定手段、及び、
前記指定された関連情報を前記第２の記録領域から再生する第２再生手段、
として機能させることを特徴とする情報記録再生用プログラム。
【請求項１４】
請求項１３に記載の情報記録再生用プログラムが前記コンピュータで読取可能に記録されていることを特徴とする情報記録媒体。
【発明の詳細な説明】
【技術分野】
【０００１】
本発明は、情報記録再生装置、情報記録再生方法、情報記録再生用プログラム及び当該情報記録再生用プログラムを記録した情報記録媒体の技術分野に属し、より詳細には、例えば放送電波を介して取得したテレビジョン放送の番組を光ディスク又はハードディスク等の記録媒体に記録する情報記録再生装置及び情報記録再生方法、並びに当該情報記録再生のための情報記録再生用プログラム及び当該情報記録再生用プログラムを記録した情報記録再生媒体の技術分野に属する。
【背景技術】
【０００２】
従来から、放送番組等の情報を、例えばいわゆるＨＤＤ（ハードディスクドライブ）等に内蔵、固定されたハードディスク等に録画等することが行われている。
【０００３】
このＨＤＤ装置には、通常このＨＤＤ装置の使用方法の説明書類、あるいは、このＨＤＤ装置の使用方法のビデオが別途添付されている。使用者は、これらの使用方法の説明に従ってこのＨＤＤ装置を使用できるようになるのである。
【発明の開示】
【発明が解決しようとする課題】
【０００４】
しかしながら、これら従来の使用方法の説明書類、使用方法の説明ビデオを供給する場合には、ＨＤＤ装置本体に添付する別部材として供給されるため、ＨＤＤ装置を製品として出荷する場合に、これら使用方法の説明書類等の管理が別途必要となる。また、使用者においても、使用方法の説明書類、使用方法の説明ビデオを、ＨＤＤ装置本体とは別に管理する必要があるが、これらを紛失する危険性や破損させてしまうことにより、使用する時に装置の使用方法が分らなくなってしまうという不都合があった。
【０００５】
そこで本願は、上記の各問題点に鑑みて為されたものであり、その課題の一例は、情報記録再生装置の使用方法を使用者が知りたいときにただちに、使用方法に関する情報を提供することが可能な情報記録再生装置、情報記録再生プログラム及び当該情報記録再生用プログラムを記録した情報記録媒体を提供することにある。
【課題を解決するための手段】
【０００６】
上記の課題を解決するために、本発明の１つの観点では、外部から入力される記録情報を常時記録する記録媒体中の第１の記録領域と、前記第１の記録領域に前記記録情報が記録されている間に、前記記録情報又は前記第１の記録領域に記録された記録済み情報の少なくともいずれか一方の情報を再生する第１再生手段と、を備える情報記録再生装置において、当該情報記録再生装置自体に関連する関連情報が記録されている前記記録媒体中の第２記録領域と、前記第２の記録領域に前記関連情報を記録する記録手段と、再生すべき前記関連情報を指定するために用いられる指定手段と、前記指定された関連情報を前記第２の記録領域から再生する第２再生手段と、を備える。
【０００７】
上記の課題を解決するために、本発明の他の観点では、外部から入力される記録情報を常時記録する記録媒体中の第１の記録領域と、前記第１の記録領域に前記記録情報が記録されている間に、前記記録情報又は前記第１の記録領域に記録された記録済み情報の少なくともいずれか一方の情報を再生する第１再生手段と、を備える情報記録再生装置において実行される情報記録再生方法において、当該情報記録再生装置自体に関連する関連情報が記録される前記記録媒体中の第２の記録領域に前記関連情報を記録する記録工程と、再生すべき前記関連情報を指定する指定工程と、前記指定された関連情報を前記第２の記録領域から再生する第２再生工程と、を備える。
【０００８】
上記の課題を解決するために、本発明の他の観点では、外部から入力される記録情報を常時記録する記録媒体中の第１の記録領域と、前記第１の記録領域に前記記録情報が記録されている間に、前記記録情報又は前記第１の記録領域に記録された記録済み情報の少なくともいずれか一方の情報を再生する第１再生手段と、を備える情報記録再生装置に含まれるコンピュータを、当該情報記録再生装置自体に関連する関連情報を前記記録媒体中の第２の記録領域に記録する記録手段、再生すべき前記関連情報を指定するために用いられる指定手段、及び、前記指定された関連情報を前記第２の記録領域から再生する第２再生手段、として機能させる。
【０００９】
上記の課題を解決するために、本発明の他の観点では、情報記録再生用プログラムが前記コンピュータで読取可能に記録されている。
【発明を実施するための最良の形態】
【００１０】
次に、本発明を実施するための最良の形態について、図面に基づいて説明する。なお、以下の実施形態は、放送電波を介して受信した放送番組としての情報を一時的にハードディスクに記録すると共に、その後に当該情報をＤＶＤ（Digital Versatile Disc）に転送して記録する情報記録再生装置に対して本願を適用した場合の実施の形態である。
【００１１】
（Ｉ）全体構成及び動作
始めに、実施形態に係る情報記録再生装置の全体構成について、図１を用いて説明する。なお、図１は、実施形態に係る情報記録再生装置の概要構成を示すブロック図である。
【００１２】
図１に示すように、実施形態に係る情報記録再生装置Ｒは、入力インターフェース部１と、アンテナ等により受信された入力信号が入力される受信部２と、内蔵、固定される一時記録媒体としてのハードディスク３ａに対して情報の記録及び再生が可能なＨＤドライブ装置３と、装填されているリムーバブルな記録媒体としてのＤＶＤ４ａに対して情報の記録及び再生が可能なＤＶＤドライブ装置４と、出力インターフェース部６と、入力部７と、マイコン部８と、メモリ部９と、タイマー部１０と、ＵＳＢ（Universal Serial Bus）インターフェース部１１と、電話回線インターフェース部１２と、リモコンインターフェース部１３と、ＦＬ（Fluorescence Light）ディスプレイ部１４と、リモコン部５と、により構成されている。次に、全体動作を説明する。
【００１３】
実施形態の情報記録再生装置Ｒにおいては、放送電波を介して受信した放送番組等の情報（以下、当該情報を、適宜番組と称する）を受信し、これを上記ハードディスク３ａ又はＤＶＤ４ａのいずれか一方に記録すると共に、当該記録した番組を当該いずれか一方から検出して再生し、図示しない表示装置やスピーカに出力することが可能とされている。
【００１４】
そこで、先ず、受信した番組をハードディスク３ａに記録する場合の全体動作について説明する。
【００１５】
受信すべき番組を搬送する放送電波はアンテナにより受信され、受信部２において復調等の処理が施された後に受信信号Ｓdtとして入力インターフェース部１へ出力される。
【００１６】
次に、入力インターフェース部１は、上記受信信号Ｓdtに対して予め設定されている入力インターフェース処理を施し、処理受信信号Ｓdiを生成する。
【００１７】
そして、ＨＤドライブ装置３内の図示しない記録部は、当該処理受信信号Ｓdiをハードディスク３ａに記録する。これにより、受信した番組がハードディスク３ａに記録されることとなる。
【００１８】
次に、受信した番組をＤＶＤ４ａに記録する場合の全体動作について説明する。
【００１９】
受信した番組をＤＶＤ４ａに記録する場合には、先ず、受信部２及び入力インターフェース部１において、上述した受信した番組をハードディスク３ａに記録する場合と同様の処理を実行し、生成された信号を、当該ＤＶＤドライブ装置４へ出力する。
【００２０】
そして、ＤＶＤドライブ装置４内の図示しない記録部は、マイコン部８からの制御信号に基づいて、当該生成された信号をＤＶＤ４ａに記録する。これにより、受信した番組がＤＶＤ４ａに記録されることとなる。
【００２１】
次に、ハードディスク３ａに記録されている情報を再生して出力する場合の全体動作について説明する。ハードディスク３ａに記録されている情報を再生して出力する場合には、始めに、ＨＤドライブ装置３内の図示しない再生部が、マイコン部８からの制御信号に基づいて、ハードディスク３ａに記録されている情報を検出し、検出信号を生成し、出力インターフェース部６へ出力する。
【００２２】
これにより、出力インターフェース部６は、マイコン部８からの制御信号に基づいて、予め設定されている出力インターフェース処理を施し、音声出力信号Ｓｓｏおよび映像出力信号Ｓｖｏを生成して図示しないディスプレイ又はスピーカ等に出力する。これにより、ハードディスク３ａに記録されていた情報としての画像又は音声等が再生されることとなる。
【００２３】
最後に、ＤＶＤ４ａに記録されている情報を再生して出力する場合の全体動作について説明する。
【００２４】
ＤＶＤ４ａに記録されている情報を再生して出力する場合には、始めに、ＤＶＤドライブ装置４内の図示しない再生部が、マイコン部８からの制御信号に基づいて、ＤＶＤ４ａに記録されている情報を検出し、検出信号を生成し、出力インターフェース部６は、上述したハードディスク３ａに記録されている情報を再生して出力する場合と同様に出力インターフェース処理を検出信号に対して施し、同様に音声出力信号Ｓｓｏおよび映像出力信号Ｓｖｏを生成して図示しないディスプレイ又はスピーカ等に出力する。これにより、ＤＶＤ４ａに記録されていた情報としての画像又は音声等が再生されることとなる。
【００２５】
ここで、上述してきた全体動作を制御するための操作は、リモコン部５又はボタン操作部等よりなる入力部７において実行され、当該入力部７又はリモコンインターフェース部１３からは当該操作に対応する操作信号がマイコン部８に出力される。
【００２６】
そして、マイコン部８は、当該操作信号に基づいて、実行された操作に対応する動作が実行されるように情報記録再生装置Ｒの構成部材を制御するための上記制御信号を生成して各構成部材に出力する。また、当該マイコン部８の処理に必要な情報はメモリ部９に出力されて一時的に記憶された後に、必要に応じて再度メモリ部９から読み出され、マイコン部８における処理に供される。
【００２７】
なお、ハードディスク３ａからＤＶＤ４ａへ情報を転送するときは、上記制御信号に基づいて、ＨＤドライブ装置３からＤＶＤドライブ装置４へ出力される。また、同様にＤＶＤ４ａからハードディスク３ａへ情報を転送するときは、上記制御信号に基づいて、ＤＶＤドライブ装置４からＨＤドライブ装置３へ出力される。
【００２８】
（II）本願の第1の実施形態
次に、第1の実施形態に係る情報の再生処理について、図１および図２を用いて説明する。なお、図２は実施形態に係る記録再生処理の全体を示すフローチャートである。
【００２９】
以下の実施形態では、情報記録再生装置Ｒの製造過程において、ＨＤディスクドライブ装置３に装填されているハードディスク３ａを初期化する場合には、初期化情報、ハードディスク３ａに情報記録再生装置Ｒの制御に関するソフトウェアをコピーする場合には、コピー情報と、（以下、上記の初期化情報及びコピー情報をすべて初期化情報とする）同時に動作確認用データを書き込んだ場合の動作確認用データの活用手順について説明を行う。
【００３０】
すなわち、情報記録再生装置Ｒの製造過程において、または、情報記録再生装置Ｒの故障を修理した後において情報記録再生装置Ｒの機能確認を行う場合の実施形態である。
【００３１】
図２に示すように、実施形態の機能確認を行う場合にはステップ１において、情報記録再生装置Ｒの電源を投入する。
【００３２】
ステップＳ２において、情報記録再生装置Ｒの再生機能確認を行う場合（ステップＳ２；ＹＥＳ）には、ステップ３に進み、情報記録再生装置Ｒの再生機能確認を行わない場合（ステップＳ２；ＮＯ）には、ステップＳ６に進む。
【００３３】
ステップＳ３において、再生操作を行うために、作業者が入力部７またはリモコン部５からキー（図示せず）入力を行う。この再生操作を行うためのキーは予め決められている一以上のキーである。
【００３４】
ステップＳ４において、マイコン部８は、ステップＳ３において入力されたキーを認識して、ＨＤドライブ装置３に対して、ハードディスク３ａに書き込まれた動作確認用データを出力インターフェース部６に出力するように制御する。出力インターフェース部６には、表示装置（図示せず。）が接続されている。ハードディスク３ａに書き込まれた動作確認用データは、出力インターフェース部６から映像情報である映像信号Ｓｖｏとして出力され、図示しない表示装置にその映像情報が表示される。
【００３５】
ステップＳ５において、作業者が、表示装置に表示された映像情報が、予め決められた映像情報か否かを目視にて確認する。または、表示装置に表示された映像情報を認識する測定器（図示せず）によって、予め決められた映像情報か否かを判断する。
【００３６】
ステップＳ６において、ハードディスク３ａの動作確認用データを、動作確認用データが書き込まれていないハードディスク３ａの他の記憶領域、または、ＤＶＤ４ａに書き込む（コピーを行う）場合には、ステップＳ７に進む。また、コピーを行わない場合には、動作を終了する。
【００３７】
ステップＳ７において、コピーを行うために、作業者が入力部７または、リモコン部５からキー（図示せず）入力を行う。このコピー動作を行うためのキーは予め決められている一以上のキーである。
【００３８】
ステップＳ８において、マイコン部８は、ステップＳ７において入力されたキーを認識して、ＨＤドライブ装置３に対して、ハードディスク３ａに書き込まれた動作確認用データを動作確認用データが書き込まれていない、ハードディスク３ａの他の記憶領域または、ＤＶＤ４ａに書き込む。
【００３９】
以上説明したように、情報記録再生装置Ｒの製造過程における、ハードディスク３ａの初期化時（またはソフトウェアのコピー時）に、製品検査をおこなうための性能検査用の情報も同時に書き込むようにした。したがって、製造ラインにおいて、ハードディスク３ａの初期化作業（またはソフトウェアのコピー作業）と、性能検査用の情報書き込み作業を別々に行うことがなくなったため、製造時間が短くなり、作業が単純化するとともに、製造コストを引き下げることが可能となった。また、修理をした情報記録再生装置Ｒの動作確認も製造時に書き込まれた動作確認用データを使用することによって行うことができるようになり、情報記録再生装置Ｒとは別に動作確認用のデータを保持する装置を用意する必要がなくなった。
【００４０】
（III）本願の第２の実施形態
次に、第２の実施形態に係る情報の再生処理について、図１および図３を用いて説明する。なお、図３は実施形態に係る再生処理の全体を示すフローチャートである。
【００４１】
以下の実施形態では、情報記録再生装置Ｒの製造過程において、ＨＤディスクドライブ装置３に装填されているハードディスク３ａを初期化する場合には、初期化情報、ハードディスク３ａに情報記録再生装置Ｒの制御に関するソフトウェアをコピーする場合には、コピー情報と、（以下、上記の初期化情報及びコピー情報をすべて初期化情報とする）同時に修理マニュアルおよび修理情報用データを書き込んだ場合のデータの活用手順について説明を行う。
【００４２】
すなわち、情報記録再生装置Ｒを修理する場合において、情報記録再生装置Ｒのハードウェア情報若しくはソフトウェア情報、または修理マニュアル等の表示を行う場合の実施形態について説明する。
【００４３】
図３に示すように、実施形態の表示を行う場合にはステップＳ１０において、情報記録再生装置Ｒの電源を投入する。
【００４４】
ステップＳ１１において、メモリ部９、ＨＤドライブ３、又はＤＶＤドライブ４から情報記録再生装置Ｒのハードウェアバージョン、ソフトウェアバージョンおよび製品のシリアル番号、修理マニュアルバージョンをマイコン部８が読み出す。その後、ステップＳ１２に進む。
【００４５】
ステップＳ１２において、外部通信インターフェース部１２、または受信部２に情報記録再生装置Ｒの外部から情報送受信可能か否かを、マイコン部８が判断する。外部から情報受信可能な場合（ステップＳ１２；ＹＥＳ）には、ステップＳ１３に進む。外部から情報受信不可能な場合（ステップＳ１２；ＮＯ）には、ステップＳ１４に進む。
【００４６】
ステップＳ１３において、ステップＳ１１において得られた情報記録再生装置Ｒのハードウェアバージョン、ソフトウェアバージョンおよび製品のシリアル番号と修理マニュアルバージョンからハードディスク３ａに記録されている修理マニュアルおよび修理情報が最新のものか否かが、マイコン部８において判断される。修理マニュアルおよび修理情報が最新のものである場合（ステップＳ１３；ＹＥＳ）にはステップＳ１４に進み、修理マニュアルおよび修理情報が最新のものでない場合（ステップＳ１３；ＮＯ）にはステップＳ１８に進む。
【００４７】
ステップＳ１８において、通信回線インターフェース部１２又は受信部２を介して情報記録再生装置Ｒの外部から最新の修理マニュアルおよび修理情報が入力される。
【００４８】
ステップＳ１４において、作業者が入力部７またはリモコン部５からパスワードを入力する。または、情報記録再生装置Ｒの内部スイッチをＯＮ、ＯＦＦさせるなどの特殊操作を行う。その後ステップＳ１５に進む。
【００４９】
ステップＳ１５において、ステップＳ１４において行われたパスワード入力の値または、特殊操作が、予め決められていたパスワードの値または特殊操作であるかをマイコン部８が判断する。予め決められていたパスワードの値または特殊操作である場合（ステップＳ１５；ＹＥＳ）には、ステップＳ１６に進み、予め決められていたパスワードの値または特殊操作でない場合（ステップＳ１５；ＮＯ）には、終了する。
【００５０】
ステップＳ１６において、再生操作を行うために、作業者が入力部７またはリモコン部５からキー（図示せず）入力を行う。この再生操作を行うためのキーは予め決められている一以上のキーである。
【００５１】
ステップＳ１７において、作業者が入力部７またはリモコン部５を操作することによって、マイコン部８は、入力されたキーを認識して、ＨＤドライブ装置３に対して、ハードディスク３ａに書き込まれた最新の修理マニュアルまたは修理情報を出力インターフェース部６に出力するように制御する。出力インターフェース部６には、表示装置（図示せず。）が接続されている。ハードディスク３ａに書き込まれた最新の修理マニュアルまたは修理情報は、インターフェース部６から映像信号Ｓｖｏとして出力され、図示しない表示装置にその最新の修理マニュアルまたは修理情報が表示される。この情報を操作者が確認しながら、情報記録再生装置Ｒの修理および修理すべき部品に関する情報等の修理情報を入手することができるようになる。また、音声情報として情報記録再生装置Ｒの修理および修理すべき部品に関する情報を出力インターフェース部８に接続された図示しないスピーカ等によって操作者に提供する。
【００５２】
以上説明したように、情報記録再生装置Ｒの製造過程における、ハードディスク３ａの初期化時（またはソフトウェアのコピー時）に、修理マニュアルまたは修理情報も同時に書き込むようにした。その結果、情報再生装置Ｒに関する修理マニュアルまたは修理情報が画像として提供されるので、マニュアルなどの書類による情報よりもより具体的に、使用者に分りやすく情報を伝えることが可能となった。
【００５３】
また、情報記録再生装置Ｒに関する情報が音声として提供されるので、マニュアルなどの書類による情報よりも使用者に分りやすく情報を伝えることが可能となった。
【００５４】
また、市場において情報記録再生装置Ｒに故障が生じても、同機種の修理用の部品情報を参照することで、すぐに故障した部品の特定が可能となった。
【００５５】
（IV）本願の第３の実施形態
次に、第３の実施形態に係る情報の再生処理について、図１および図４を用いて説明する。なお、図４は実施形態に係る再生処理の全体を示すフローチャートである。
【００５６】
以下の実施形態では、情報記録再生装置Ｒの製造過程において、ＨＤディスクドライブ装置３に装填されているハードディスク３ａを初期化する際には、初期化のための初期化情報、ハードディスク３ａに情報記録再生装置Ｒの制御に関するソフトウェアをコピーする場合には、コピー情報と、（以下、上記の初期化情報及びコピー情報をすべて初期化情報とする）同時にユーザ登録申し込み書に関する申し込み情報が書き込まれている場合において、情報記録再生装置Ｒを購入したユーザが行うユーザ登録手順について説明を行う。
【００５７】
すなわち、購入後に情報記録再生装置Ｒを使用する場合には、情報記録再生装置Ｒのユーザ登録情報に基づいて、外部から電話回線インターフェース部１２または受信部２を介して提供される情報の種類が制限される。この外部から提供される情報の種類を変更するには、新たにユーザ登録を行うことが必要となる。本実施形態においてこのユーザ登録の手順について説明する。
【００５８】
図４に示すように、実施形態のユーザ登録を行う場合にはステップＳ２０において、情報記録再生装置Ｒの電源を投入する。
【００５９】
ステップＳ２１において、ユーザがユーザ登録を行うために、入力部７またはリモコン部５から、ハードディスク３ａに記録されている申し込み情報を表示するために、あらかじめきめられた一以上のキー（図示せず）を入力する。その後ステップＳ２２に進む。
【００６０】
ステップ２２において、作業者が入力部７またはリモコン部５を操作することによって、マイコン部８は、入力されたキーを認識して、ＨＤドライブ装置３に対して、ハードディスク３ａに書き込まれた申し込み情報を出力インターフェース部６に出力するように制御する。インターフェース部６には、表示装置（図示せず。）が接続されている。ハードディスク３ａに書き込まれた申し込み情報は、インターフェース部６から映像信号Ｓｖｏとして出力され、図示しない表示装置にそのユーザ登録申し込み書が表示される。その後、ステップＳ２３に進む。
【００６１】
ステップＳ２３において、ユーザは、表示装置に表示されたユーザ登録申し込み書を見ながら、入力部７またはリモコン部５を介して、ユーザ登録申し込み書に必要とされるデータを入力する。その後、ステップＳ２４に進む。
【００６２】
ステップＳ２４において、外部通信回線インターフェース部１２を介して情報記録再生装置Ｒの外部の情報通信回線と情報記録再生装置Ｒは接続されているか否かを、マイコン部８が検知する。外部の情報通信回線と情報記録再生装置Ｒが接続されている場合（ステップＳ２４：ＹＥＳ）には、ステップＳ２５に進む。外部の情報通信回線と情報記録再生装置Ｒが接続されていない場合（ステップＳ２４：ＮＯ）には、ステップＳ２７に進む。
【００６３】
ステップＳ２５において、ユーザはステップＳ２３で入力した情報を、外部通信回線インターフェース部１２を介して情報記録再生装置Ｒの外部の通信回線へ送信する。送信された情報は、ユーザ登録情報を管理している管理部門に送信される。その後、ステップＳ２６に進む。
【００６４】
ステップＳ２６において、ステップＳ２３でユーザによって入力された情報をマイコン部８の制御によってハードディスク３ａに書き込み保存をする。
【００６５】
ステップＳ２７において、情報記録再生装置Ｒに印刷機（図示せず）が接続できるか否かをマイコン部８が判断する。情報記録再生装置Ｒに印刷機が接続できる場合には、ステップＳ２８に進む。情報記録再生装置Ｒに印刷機が接続できない場合には、ステップＳ２６に進む。
【００６６】
ステップＳ２８において、ステップＳ２３でユーザによって入力された情報をマイコン部８の制御によって、印刷機に印刷する。
【００６７】
以上説明したように、情報記録再生装置Ｒにユーザ登録申し込み書を書類、外部記録媒体などで情報記録再生装置Ｒ本体とは別に添付する必要がなくなったので、製品の出荷管理が容易になった。また、ユーザにおいても、ユーザ登録申し込み書が記録された書類等を探す手間がなくなったので、容易にユーザ登録をすることができるようになった。
【００６８】
（Ｖ）本願の第４の実施形態
次に、第４の実施形態に係る情報の再生処理について、図１および図５を用いて説明する。なお、図５は実施形態に係る再生処理の全体を示すフローチャートである。
【００６９】
以下の実施形態では、情報記録再生装置Ｒの製造過程において、ＨＤディスクドライブ装置３に装填されているハードディスク３ａを初期化する場合には、初期化情報、ハードディスク３ａに情報記録再生装置Ｒの制御に関するソフトウェアをコピーする場合には、コピー情報と、（以下、上記の初期化情報及びコピー情報をすべて初期化情報とする）と同時に情報記録再生装置Ｒ等の取り扱い説明書および情報記録再生装置Ｒ等の設置説明書に相当する日本語および外国語の情報を書き込んだ場合の情報記録再生装置Ｒ等の取り扱い説明書および情報記録再生装置Ｒ等の設置説明書の表示方法について説明をする。
【００７０】
図５に示すように、実施形態の情報記録再生装置Ｒ等の取り扱い説明書および情報記録再生装置Ｒ等の設置説明書の表示を行う場合にはステップＳ３０において、情報記録再生装置Ｒの電源を投入する。
【００７１】
ステップＳ３１において、ユーザが情報記録再生装置Ｒ等の取り扱い説明書および情報記録再生装置Ｒ等の設置説明書の表示を行うために、入力部７またはリモコン部５から、ハードディスク３ａに記録されている情報記録再生装置Ｒ等の取り扱い説明書および情報記録再生装置Ｒ等の設置説明書を表示するために、あらかじめきめられた一以上のキー（図示せず）を入力する。その後ステップＳ３２に進む。
【００７２】
ステップＳ３２において、言語の選択を、ユーザが入力部７またはリモコン部５から行う。その後、ステップＳ３３に進む。
【００７３】
ステップＳ３３において、マイコン部８はステップＳ３２において選択された言語に基づく情報記録再生装置Ｒ等の取り扱い説明書および情報記録再生装置Ｒ等の設置説明書に関する情報が記録されたハードディスク３ａにＨＤドライブ３を介して読み出しを行う。その後、ステップＳ３４に進む。
【００７４】
ステップＳ３４において、マイコン部８は、作業者がステップＳ３１およびＳ３２で入力したキーを認識して、ＨＤドライブ装置３に対して、ハードディスク３ａに書き込まれた情報記録再生装置Ｒ等の取り扱い説明書および情報記録再生装置Ｒ等の設置説明書を出力インターフェース部６に出力するように制御する。インターフェース部６には、表示装置（図示せず）が接続されている。ハードディスク３ａに書き込まれた情報記録再生装置Ｒ等の取り扱い説明書および情報記録再生装置Ｒ等の設置説明書は、出力インターフェース部６から映像信号Ｓｖｏとして出力され、図示しない表示装置に表示される。その後、ステップＳ３５に進む。
【００７５】
ステップＳ３５において、マイコン部８は、検索されるべき情報があるか否かを判断する。検索されるべき情報がある場合（ステップＳ３５：ＹＥＳ）には、ステップＳ３６に進む。検索されるべき情報がない場合（ステップＳ３５：ＮＯ）には、ステップＳ３４に戻る。
【００７６】
ステップＳ３６において、作業者が、入力部７またはリモコン部５を介して、検索されるキーワードを入力する。その後、ステップＳ３７に進む。
【００７７】
ステップＳ３７において、マイコン部８は、ステップＳ３６において作業者によって入力されたキーワードに基づき、取り扱い説明書または情報記録再生装置Ｒ等の設置説明書のキーワードに予め関連付けされたページ等の該当部分を、出力インターフェース部６に接続されている表示装置に表示する。その後ステップＳ３４に戻る。
【００７８】
以上説明したように、情報記録再生装置Ｒに取り扱い説明書および設置説明書を書類、外部記録媒体などで情報記録再生装置Ｒ本体とは別に添付する必要がなくなったので、製品の出荷管理が容易になった。また、ユーザにおいても、取り扱い説明および設置説明が記録された書類等を探す手間がなくなった。また、情報記録再生装置Ｒにキーワード検索機能を設けたことにより、ユーザが容易に知りたい情報を検索することができるようになった。
【００７９】
（VI）本願の第５の実施形態
次に、第５の実施形態に係る情報の再生処理について、図１および図６を用いて説明する。なお、図６は実施形態に係る再生処理の全体を示すフローチャートである。
【００８０】
以下の実施形態では、情報記録再生装置Ｒの製造過程において、ＨＤディスクドライブ装置３に装填されているハードディスク３ａを初期化する場合には、初期化情報、ハードディスク３ａに情報記録再生装置Ｒの制御に関するソフトウェアをコピーする場合には、コピー情報と、（以下、上記の初期化情報及びコピー情報をすべて初期化情報とする）と同時に情報記録再生装置Ｒの画像情報等の商品宣伝情報および情報記録再生装置Ｒの関連商品宣伝情報を書き込んだ場合の情報記録再生装置Ｒによる表示方法について説明をする。
【００８１】
図６に示すように、実施形態の情報記録再生装置Ｒの商品宣伝情報および情報記録再生装置Ｒの関連商品宣伝情報の表示を行う場合にはステップＳ４０において、情報記録再生装置Ｒの電源を投入する。
【００８２】
ステップＳ４１において、入力部７またはリモコン部５からパスワードを入力、または情報記録再生装置Ｒの内部スイッチをＯＮさせる等の特殊操作を行い、あらかじめきめられたパスワードの値、又は特殊操作であるかをマイコン部８が判断する。予め決められたパスワード又は特殊操作である場合はステップＳ４４へ、またはそうでない場合はステップＳ４２へ進む。
【００８３】
また、ステップＳ４１においてユーザ登録を行っているかどうかをマイコン部８が判断し、登録を行っている場合はステップＳ４２へ、未登録の場合はステップＳ４４へ進む方法もある。
【００８４】
ステップＳ４２において、入力部７またはリモコン部５から商品宣伝情報または関連商品宣伝情報の表示を行うためにキー入力を行う。その後、ステップＳ４３に進む。
【００８５】
ステップＳ４３において、マイコン部８は、ユーザがステップＳ４１およびＳ４２で入力したキーを基に、ＨＤドライブ装置３に対して、ハードディスク３ａに書き込まれたユーザ用の商品宣伝情報または関連商品宣伝情報を出力インターフェース部６に出力するように制御する。インターフェース部６には、表示装置（図示せず）が接続されている。ハードディスク３ａに書き込まれたユーザ用の商品宣伝情報または関連商品宣伝情報は、出力インターフェース部６から映像信号Ｓｖｏとして出力され、図示しない表示装置に表示される。
【００８６】
ステップＳ４４において、マイコン部８は、店頭展示用または営業のデモンストレーション用のために商品宣伝情報または関連商品宣伝情報を表示する準備に入る。その後、ステップＳ４５に進む。
【００８７】
ステップＳ４５において、ステップＳ４１の入力情報をマイコン部８が判断し、自動表示を行う為のスイッチをＯＮ又はＯＦＦする。その後、ステップＳ４６に進む。
【００８８】
ステップＳ４６において、ステップＳ４１の入力情報をマイコン部８が判断し、繰り返し表示を行う為のスイッチをＯＮ又はＯＦＦする。その後、ステップＳ４７に進む。
【００８９】
ステップＳ４７において、操作者が、入力部７またはリモコン部５からキー入力を行い、出力インターフェース部６に接続された表示装置に、店頭展示用または営業のデモンストレーション用の商品宣伝情報または関連商品宣伝情報の表示を行う場合（ステップＳ４７：ＹＥＳ）には、ステップＳ４８に進む。入力部７またはリモコン部５から操作者が入力したキーをトリガーとして出力インターフェース部６に接続された表示装置に、店頭展示用または営業のデモンストレーション用の商品宣伝情報または関連商品宣伝情報の表示を行わない場合（ステップＳ４７：ＮＯ）には、ステップＳ４９に進む。
【００９０】
ステップ４８において、マイコン部８は、作業者がステップＳ４５、Ｓ４６およびＳ４７で設定されたスイッチを認識して、ＨＤドライブ装置３に対して、ハードディスク３ａに書き込まれた店頭展示用または営業のデモンストレーション用の商品宣伝情報または関連商品宣伝情報を出力インターフェース部６に出力するように制御する。インターフェース部６には、表示装置（図示せず）が接続されている。ハードディスク３ａに書き込まれた情報記録再生装置Ｒの店頭展示用または営業のデモンストレーション用の商品宣伝情報または関連商品宣伝情報は、出力インターフェース部６から映像信号Ｓｖｏとして出力され、図示しない表示装置に表示される。
【００９１】
ステップＳ４９において、ステップＳ４０において電源が入れられてから予め設定された時間経過後、または入力部７またはリモコン部５からメモリ部９に予め設定された時刻に、または、ＵＳＢインターフェース部１１に接続された、若しくは外部通信回線インターフェース部１２に接続された外部機器からの指令に基づき、再生開始指令がマイコン部８に入力される場合、ステップＳ４８に進む。予め設定された時刻、外部機器からの指令がない場合はステップＳ４７へ進む。
【００９２】
以上説明したように、情報記録再生装置Ｒと画像表示装置とがあれば、すぐに情報記録再生装置Ｒの宣伝を行うことができるので、顧客の製品購買意欲があった場合に、効果的に情報記録再生装置Ｒのプレゼンテーションを行うことができる。
【００９３】
さらに、ユーザ用、店頭展示用または営業のデモンストレーション用の商品宣伝情報または関連商品宣伝情報を書類、外部記録媒体などで別に添付する必要がなくなったので、製品の出荷管理が容易になった。また、使用者においても、書類等を探す手間がなくなったので、容易に操作方法を確認することができるようになった。
【００９４】
また、ユーザ用、店頭展示用または営業のデモンストレーション用の商品宣伝情報または関連商品宣伝情報を外部機器から情報記録再生装置Ｒに転送する必要がなくなり、容易に当該情報を表示して、楽しんだり、プレゼンテーションをすることができるようになった。
【００９５】
（VII）本願の第６の実施形態
次に、第６の実施形態に係る情報の再生処理について、図１および図７を用いて説明する。なお、図７は実施形態に係る再生処理の全体を示すフローチャートである。
【００９６】
以下の実施形態では、情報記録再生装置Ｒの製造過程において、ＨＤディスクドライブ装置３に装填されているハードディスク３ａを初期化する場合には、初期化情報、ハードディスク３ａに情報記録再生装置Ｒの制御に関するソフトウェアをコピーする場合には、コピー情報と、（以下、上記の初期化情報及びコピー情報をすべて初期化情報とする）同時に情報記録再生装置Ｒ等に関する提携会社の宣伝画像情報を書き込んだ場合の情報記録再生装置Ｒによる表示方法について説明をする。
【００９７】
図７に示すように、実施形態の情報記録再生装置Ｒ等に関する提携会社の宣伝画像情報の表示を行う場合にはステップＳ５０において、情報記録再生装置Ｒの電源を投入する。
【００９８】
ステップＳ５１において、ユーザが、入力部７またはリモコン部５から、ハードディスク３ａに記録されている情報記録再生装置Ｒに関する提携会社の宣伝画像情報を表示するために、あらかじめきめられた一以上のキー（図示せず）を入力する。その後ステップＳ５２に進む。
【００９９】
ステップＳ５２において、ユーザが、年齢、性別、住居地域、家族構成、身体情報等の個人情報を、入力部７またはリモコン部５から入力する。その後、ステップＳ５３に進む。
【０１００】
ステップＳ５３において、マイコン部８はステップＳ５２において入力された個人情報に基づく情報記録再生装置Ｒ等に関する提携会社の宣伝画像情報が記録されたハードディスク３ａにＨＤドライブ３を介して読み出しを行う。その後、ステップＳ５４に進む。
【０１０１】
ステップＳ５４において、マイコン部８は、ユーザがステップＳ５１およびＳ５２で入力したキーを基に、ＨＤドライブ装置３に対して、ハードディスク３ａに書き込まれた情報記録再生装置Ｒ等に関する提携会社の宣伝広告情報を出力インターフェース部６に出力するように制御する。インターフェース部６には、表示装置（図示せず）が接続されている。ハードディスク３ａに書き込まれた、情報記録再生装置Ｒ等に関する提携会社の宣伝広告情報は、出力インターフェース部６から映像信号Ｓｖｏとして出力され、図示しない表示装置に表示される。その後、ステップＳ５５に進む。
【０１０２】
ステップＳ５５において、マイコン部８は、検索されるべき情報があるか否かを判断する。検索されるべき情報がある場合には、ステップＳ５６に進む。検索されるべき情報がない場合には、ステップＳ５４に戻る。
【０１０３】
ステップＳ５６において、ユーザが、入力部７またはリモコン部５を介して、検索されるキーワードを入力する。その後、ステップＳ５７に進む。
【０１０４】
ステップＳ５７において、マイコン部８は、ステップＳ５６においてユーザによって入力されたキーワードに基づき、情報記録再生装置Ｒ等に関する提携会社の宣伝広告情報のキーワードと予め関連付けされたページ等の該当部分を、出力インターフェース部６に接続されている表示装置に表示する。その後ステップＳ５４に戻る。
【０１０５】
以上説明したように、情報記録再生装置Ｒ等に関する提携会社の宣伝広告情報を書類、外部記録媒体などで情報記録再生装置Ｒ本体とは別に添付する必要がなくなったので、製品の出荷管理が容易になった。また、ユーザにおいても、容易に情報記録再生装置Ｒ等に関する提携会社の宣伝広告情報を表示することができるようになった。また、情報記録再生装置Ｒにキーワード検索機能を設けたことにより、容易に知りたい情報を検索することができるようになった。
【０１０６】
以上、各実施形態において説明したように、情報記録再生装置Ｒ本体に関する情報が情報記録再生装置Ｒ内のハードディスク３ａと一体となって収納されているので、情報記録再生装置Ｒに関する情報を別媒体として提供する必要がなくなり、別媒体の材料費が必要なくなった。また、別媒体の場合には保管場所が必要であったが、別媒体の保管場所が必要なくなった。さらに、別媒体で情報記録再生装置Ｒ本体に関する情報を提供する場合には、紛失する心配があったが、別媒体を紛失する心配がなくなった。
【０１０７】
また、情報記録再生装置Ｒに関する情報が画像として提供されるので、マニュアルなどの書類による情報よりもより具体的に、使用者に分りやすく情報を伝えることが可能となった。
【０１０８】
また、情報記録再生装置Ｒに関する情報が音声として提供されるので、マニュアルなどの書類による情報よりも使用者に分りやすく情報を伝えることが可能となった。
【０１０９】
さらに、情報記録再生装置Ｒの製造過程における、ハードディスク３ａの初期化時（またはソフトウェアのコピー時）に、製品検査をおこなうための性能検査用の情報も同時に書き込むようにした。したがって、製造ラインにおいて、ハードディスク３ａの初期化作業（またはソフトウェアのコピー作業）と、性能検査用の情報書き込み作業を別々に行うことがなくなったため、製造時間が短くなり、作業が単純化するとともに、製造コストを引き下げることが可能となった。
【０１１０】
さらに、情報記録再生装置Ｒと画像表示装置とがあれば、すぐに情報記録再生装置Ｒの宣伝を行うことができるので、顧客の製品購買意欲があった場合に、効果的に情報記録再生装置のプレゼンテーションを行うことができる。
【０１１１】
さらに、情報記録再生装置Ｒの操作方法を書類、外部記録媒体などで別に添付する必要がなくなったので、製品の出荷管理が容易になった。また、使用者においても、操作方法が記録された書類等を探す手間がなくなったので、容易に操作方法を確認することができるようになった。
【０１１２】
さらに、市場において情報記録再生装置Ｒに故障が生じても、同機種の修理用の部品情報を参照することで、すぐに故障した部品の特定が可能になる。
【０１１３】
本願は、情報記録再生装置Ｒ内の備えられる二つの記録媒体が共にハードディスク３ａである場合であって、相互に番組を転送する場合に適用することも可能である。
【０１１４】
その他、記録媒体の少なくとも一つが半導体メモリや磁気メモリにも適応することが可能である。すなわち、本願は記録媒体の形態には左右されず、あらゆる記録媒体に適応が可能であることは言うまでもない。
【０１１５】
なお、図２乃至図７に示すフローチャートに対応するプログラムを、フレキシブルディスク等の情報記録媒体に記録しておき、或いは当該プログラムをインターネット等のネットワークを介して取得して記録しておき、これらを汎用のマイクロコンピュータ等を用いて読み出して実行することにより、当該汎用のマイクロコンピュータを実施形態に係るマイコン部８として用いることも可能である。
【図面の簡単な説明】
【０１１６】
【図１】実施形態の情報記録再生装置の概要構成を示すブロック図である。
【図２】第１実施形態の動作の全体を示すフローチャートである。
【図３】第２実施形態の動作の全体を示すフローチャートである。
【図４】第３実施形態の動作の全体を示すフローチャートである。
【図５】第４実施形態の動作の全体を示すフローチャートである。
【図６】第５実施形態の動作の全体を示すフローチャートである。
【図７】第６実施形態の動作の全体を示すフローチャートである。
【符号の説明】
【０１１７】
１…入力インターフェース部
２…受信部
３…ＨＤドライブ装置
３ａ…ハードディスク
４…ＤＶＤドライブ装置
４ａ…ＤＶＤ
５…リモコン部
６…出力インターフェース部
７…入力部
８…マイコン部
９…メモリ部
１３…リモコンインターフェース部
１４…ＦＬディスプレイ部
Ｒ…情報記録再生装置
【図１】
2005129206.tif 000003
【図２】
2005129206.tif 000004
【図３】
2005129206.tif 000005
【図４】
2005129206.tif 000006
【図５】
2005129206.tif 000007
【図６】
2005129206.tif 000008
【図７】
2005129206.tif 000009